(57)【要約】トラフィック・チャネルをパンクチャするシグナリング・チャネルは、シグナリング、例えば、受領通知（ＡＣＫ）を送るために使用される。シグナリングを送るために、シグナリング・チャネルのためのリソースは、例えば、周波数ホッピング・パターンに基づいて決定される。シグナリングは、拡散コード（例えば、ウォルシュ・コード）を用いて拡散されて、拡散されたシグナリングを生成し、それはシグナリング・チャネルのためのリソースにマッピングされる。各リソースは、複数のクラスタに区分されることができる。シグナリング・メッセージは、ダイバーシティを実現するために異なるクラスタにマッピングされることができる。トラフィック・データは、しかもユーザのために割り当てられたトラフィック・チャネルのための別のリソースにマッピングされることができる。シグナリング・チャネルのための別のリソースにマッピングされたトラフィック・データは、パンクチャされる。マッピングされたシグナリング及びトラフィック・データは、さらに（例えば、ＯＦＤＭ又はＳＣ−ＦＤＭＡのための）処理され、そして送信される。
2009514449.tif 000002
【特許請求の範囲】
【請求項１】
トラフィック・チャネルをパンクチャするシグナリング・チャネルのためのリソースにシグナリングをマッピングするために構成された少なくとも１つのプロセッサ；及び
該少なくとも１つのプロセッサに接続されたメモリ、
を具備する装置。
【請求項２】
該シグナリングは、受信したデータ送信に対する受領通知を備える、請求項１の装置。
【請求項３】
該少なくとも１つのプロセッサは、拡散コードを用いて該シグナリングを拡散させるため、そして該シグナリング・チャネルのための該リソースに該拡散されたシグナリングをマッピングするために構成される、請求項１の装置。
【請求項４】
該拡散コードは、アダマール行列又はフーリエ行列から導出される、請求項３の装置。
【請求項５】
該少なくとも１つのプロセッサは、複数の時間−周波数セグメントを備えるリソースにシグナリング・メッセージをマッピングするために構成される、請求項１の装置。
【請求項６】
該シグナリング・メッセージは、該複数の時間−周波数セグメントのそれぞれにおいて送信機の異なる集合からの干渉を観測する、請求項５の装置。
【請求項７】
該複数の時間−周波数セグメントは、異なる周波数サブキャリアをカバーする、請求項５の装置。
【請求項８】
該リソースは、各々が複数のクラスタを備える時間−周波数セグメントを具備する、そしてここにおいて、該少なくとも１つのプロセッサは、複数の時間−周波数セグメントのそれぞれにおいてクラスタにシグナリング・メッセージをマッピングするために構成される、請求項１の装置。
【請求項９】
該少なくとも１つのプロセッサは、該複数の時間−周波数セグメントにおいて異なる時間インターバルをカバーするクラスタに該シグナリング・メッセージをマッピングするために構成される、請求項８の装置。
【請求項１０】
該少なくとも１つのプロセッサは、周波数ホッピング・パターンに基づいて該シグナリング・チャネルのための該リソースを決定するために構成される、請求項１の装置。
【請求項１１】
該プロセッサは、該トラフィック・チャネルに関して擬似−ランダムに該シグナリング・チャネルのための該リソースをマッピングするために構成される、請求項１の装置。
【請求項１２】
該シグナリング・チャネルは、該トラフィック・チャネルを同等にパンクチャする、請求項１の装置。
【請求項１３】
該トラフィック・チャネルは、チャネル・ツリーにより定義される、そしてここにおいて、該チャネル・ツリー中の各ノードは、該シグナリング・チャネルの特定のリソースに関係付けられる、請求項１の装置。
【請求項１４】
各トラフィック・チャネルは、特定の拡散コード及び該シグナリング・チャネル中の特定のリソースに関係付けられる、請求項１の装置。
【請求項１５】
該少なくとも１つのプロセッサは、トラフィック・チャネルのためのリソースにデータをマッピングするために、そして該シグナリング・チャネルのための該リソースにマッピングされたデータをパンクチャするために構成される、請求項１の装置。
【請求項１６】
該リソースは、時間−周波数セグメントを備える、ここにおいて、時間−周波数セグメントは、時間−周波数ブロックの一部をパンクチャする、そしてここにおいて、データは、該時間−周波数ブロックの残りの部分にマッピングされる、請求項１５の装置。
【請求項１７】
該少なくとも１つのプロセッサは、該マッピングされたシグナリングを搬送する直交周波数分割多重化（ＯＦＤＭ）シンボルを生成するために構成される、請求項１の装置。
【請求項１８】
該少なくとも１つのプロセッサは、該マッピングされたシグナリングを搬送する単一キャリア周波数分割多元接続（ＳＣ−ＦＤＭＡ）シンボルを生成するために構成される、請求項１の装置。
【請求項１９】
通信チャネルを介した送信のためのシグナリングを生成すること；及び
トラフィック・チャネルをパンクチャするシグナリング・チャネルのためのリソースに該シグナリングをマッピングすること
を具備する方法。
【請求項２０】
拡散コードを用いて該シグナリングを拡散することをさらに具備する、そしてここにおいて、該拡散されたシグナリングは、該シグナリング・チャネルのための該リソースにマッピングされる、請求項１９の方法。
【請求項２１】
該リソースに該シグナリングをマッピングすることは、
複数の時間−周波数セグメントにシグナリング・メッセージをマッピングすること、
を具備する、請求項１９の方法。
【請求項２２】
トラフィック・チャネルのための時間−周波数ブロックに別のリソースのデータをマッピングすること；及び
該シグナリング・チャネルのための時間−周波数セグメントを備えるリソースを用いてデータをパンクチャすること、
をさらに具備する、請求項１９の方法。
【請求項２３】
通信チャネルを介した送信のためのシグナリングを生成するための手段；及び
トラフィック・チャネルをパンクチャするシグナリング・チャネルのためのリソースに該シグナリングをマッピングするための手段、
を具備する装置。
【請求項２４】
拡散コードを用いて該シグナリングを拡散するための手段をさらに具備する、そしてここにおいて、該拡散されたシグナリングは、該シグナリング・チャネルのための該リソースにマッピングされる、
請求項２３の装置。
【請求項２５】
該シグナリング・チャネルのための該リソースに該シグナリングをマッピングするための該手段は、
複数の時間−周波数セグメントを備えるリソースにシグナリング・メッセージをマッピングするための手段、
を具備する、請求項２３の装置。
【請求項２６】
トラフィック・チャネルのための時間−周波数ブロックにデータをマッピングするための手段；及び
該シグナリング・チャネルのための時間−周波数セグメントにマッピングされたデータをパンクチャするための手段、
をさらに具備する、請求項２３の装置。
【請求項２７】
トラフィック・チャネルをパンクチャするシグナリング・チャネルのためのリソースから受信シンボルを抽出するために、そして該シグナリング・チャネル上で送られたシグナリングを再生するために該抽出された受信シンボルを処理するために構成された少なくとも１つのプロセッサ；及び
該少なくとも１つのプロセッサに接続されたメモリ、
を具備する装置。
【請求項２８】
該少なくとも１つのプロセッサは、逆拡散されたシンボルを得るために拡散コードを用いて該抽出された受信シンボルを逆拡散するために、そして該シグナリング・チャネル上で送られた該シグナリングを再生するために該逆拡散されたシンボルに検出を実行するために構成される、請求項２７の装置。
【請求項２９】
該少なくとも１つのプロセッサは、干渉推定値を得るためにシグナリングに対して使用されなかった少なくとも１つの拡散コードを用いて抽出された受信シンボルを逆拡散するために構成される、請求項２８の装置。
【請求項３０】
該少なくとも１つのプロセッサは、逆拡散されたシンボルを得るために拡散コードを用いて該抽出された受信シンボルを逆拡散するために、干渉推定値を得るためにシグナリングに対して使用されなかった少なくとも１つの拡散コードを用いて該抽出された受信シンボルを逆拡散するために、そして該シグナリング・チャネル上で送られた該シグナリングを再生するために該干渉推定値を用いて該逆拡散されたシンボルに検出を実行するために構成される、請求項２７の装置。
【請求項３１】
各時間−周波数セグメントは、複数のクラスタを備える、そしてここにおいて、該少なくとも１つのプロセッサは、複数の時間−周波数セグメントを備えるリソース中のクラスタから受信シンボルを抽出するために、該時間−周波数セグメントに関する逆拡散されたシンボルを得るために拡散コードを用いて該複数の時間−周波数セグメントのそれぞれに対して該抽出された受信シンボルを逆拡散するために、そしてシグナリング・メッセージを再生するために該複数の時間−周波数セグメントに関する逆拡散されたシンボルを統合するために構成される、請求項２９の装置。
【請求項３２】
該少なくとも１つのプロセッサは、トラフィック・チャネルのための時間−周波数ブロックを備えるリソースから受信シンボルを抽出するために、該シグナリング・チャネルのための該時間−周波数セグメントから抽出された受信シンボルをパンクチャするために、そして該トラフィック・チャネルのためのデコードされたデータを得るためにパンクチャされなかった受信シンボルを処理するために構成される、請求項２７の装置。
【請求項３３】
該少なくとも１つのプロセッサは、該シグナリング・チャネル上にシグナリングを送るために端末に拡散コードを割り当てるために構成される、そしてここにおいて、少なくとも１つの拡散コードは、干渉推定のために確保される、請求項２７の装置。
【請求項３４】
トラフィック・チャネルをパンクチャするシグナリング・チャネルのための時間−周波数セグメントから受信シンボルを抽出すること；及び
該シグナリング・チャネル上で送られたシグナリングを再生するために該抽出された受信シンボルを処理すること、
を具備する方法。
【請求項３５】
該抽出された受信シンボルを処理することは、
逆拡散されたシンボルを得るために拡散コードを用いて該抽出された受信シンボルを逆拡散すること、及び
該シグナリング・チャネル上で送られた該シグナリングを再生するために該逆拡散されたシンボルに検出を実行すること、
を具備する、請求項３４の方法。
【請求項３６】
該抽出された受信シンボルを該処理することは、
逆拡散されたシンボルを得るために拡散コードを用いて該抽出された受信シンボルを逆拡散すること、
干渉推定値を得るためにシグナリングに対して使用されなかった少なくとも１つの拡散コードを用いて該抽出された受信シンボルを逆拡散すること、及び
該シグナリング・チャネル上で送られた該シグナリングを再生するために該干渉推定値を用いて該逆拡散されたシンボルに検出を実行すること、
を具備する、請求項３４の方法。
【請求項３７】
トラフィック・チャネルのための時間−周波数ブロックを備えるリソースから受信シンボルを抽出すること、
該シグナリング・チャネルのための時間−周波数セグメントを備えるリソースから抽出された受信シンボルをパンクチャすること、
該トラフィック・チャネルのためのデコードされたデータを得るためにパンクチャされなかった受信シンボルを処理すること、
をさらに具備する、請求項３４の方法。
【請求項３８】
トラフィック・チャネルをパンクチャするシグナリング・チャネルのために構成されるリソースから受信シンボルを抽出するための手段；及び
該シグナリング・チャネル上で送られたシグナリングを再生するために該抽出された受信シンボルを処理するための手段、
を具備する装置。
【請求項３９】
該抽出された受信シンボルを処理するための該手段は、
逆拡散されたシンボルを得るために拡散コードを用いて該抽出された受信シンボルを逆拡散するための手段、及び
該シグナリング・チャネル上で送られた該シグナリングを再生するために該逆拡散されたシンボルに検出を実行するための手段、
を具備する、請求項３８の装置。
【請求項４０】
該抽出された受信シンボルを処理するための該手段は、
逆拡散されたシンボルを得るために拡散コードを用いて該抽出された受信シンボルを逆拡散するための手段、
干渉推定値を得るためにシグナリングに対して使用されなかった少なくとも１つの拡散コードを用いて該抽出された受信シンボルを逆拡散するための手段、及び
該シグナリング・チャネル上で送られた該シグナリングを再生するために該干渉推定値を用いて該逆拡散されたシンボルに検出を実行するための手段、
を具備する、請求項３８の装置。
【請求項４１】
トラフィック・チャネルのために構成されるリソースから受信シンボルを抽出するための手段、
該シグナリング・チャネルのために構成される該リソースから抽出される受信シンボルをパンクチャするための手段、及び
該トラフィック・チャネルのためのデコードされたデータを得るためにパンクチャされなかった受信シンボルを処理するための手段、
をさらに具備する、請求項３８の装置。
【発明の詳細な説明】
【技術分野】
【０００１】
本発明は、一般に通信に係わり、そして特に、通信システムにおいてシグナリングを送信するための技術に関する。
【背景技術】
【０００２】
無線通信システムは、様々な通信サービス、例えば、音声、パケット・データ、同報通信、メッセージ通信、及びその他、を提供するために広く展開されている。これらのシステムは、利用可能なシステム・リソースを共有することによって複数のユーザに対する通信をサポートすることが可能な多元接続システムであり得る。そのような多元接続システムの例は、符号分割多元接続（ＣＤＭＡ：code division multiple access）システム、時分割多元接続（ＴＤＭＡ：time division multiple access）システム、及び周波数分割多元接続（ＦＤＭＡ：frequency division multiple access）システムを含む。
【０００３】
通信システムは、フィードバックを有する送信方式を利用することができ、データ送信に対する信頼性を向上させる。例えば、送信機は、受信機にデータ・パケットを送信することができ、その受信機は、そのパケットが正しくデコードされる場合には肯定的受領通知（ＡＣＫ：acknowledgment）を送り返す、又はそのパケットがエラーでデコードされる場合には否定的受領通知（ＮＡＫ：negative acknowledgment）を送り返す。送信機は、パケットの送信を終わらせるためにＡＣＫを使用し、そしてそのパケットの全て又は一部を再送信するためにＮＡＫを使用する。送信機は、それゆえ受信機からのフィードバックに基づいて各パケットに対して十分なデータだけを送信することが可能である。
【０００４】
多元接続システム中の基地局は、任意の所与の時間において順方向リンク及び逆方向リンク上で複数の端末と同時に通信することができる。順方向リンク（又はダウンリンク）は、基地局から端末への通信リンクを呼び、そして逆方向リンク（又はアップリンク）は、端末から基地局への通信リンクを呼ぶ。基地局は、順方向リンク上で複数の端末にデータを送信することができ、そして逆方向リンク上でこれらの端末からＡＣＫ及び／又はＮＡＫ（又はＡＣＫ情報）を受信することができる。端末からのＡＣＫ情報は、有益であるとはいえ、システム中のオーバーヘッドを表す。
【０００５】
それゆえ、通信システムにおいてＡＣＫ情報を効率的に送るための技術に対するこの分野における必要性がある。
【発明の開示】
【サマリー】
【０００６】
通信システムにおいてシグナリングを効率的に送信するための技術が、本明細書中に記載される。シグナリングは、ＡＣＫ情報又はある別の情報であり得る。１つの実施形態では、トラフィック・チャネルをパンクチャするシグナリング・チャネルは、シグナリングを送るために使用される。シグナリング・チャネルは、しかも制御チャネル、オーバーヘッド・チャネル、フィードバック・チャネル、及びその他とも呼ばれることができる。シグナリング・チャネルは、リソース、例えば、時間−周波数セグメント、にマッピングされることができ、そして各トラフィック・チャネルは、別のリソースにマッピングされることができる。各時間−周波数セグメント及び各時間−周波数ブロックは、時間及び周波数のブロックであり得る。時間−周波数セグメントと時間−周波数ブロックは、同じサイズ又は異なるサイズを有することができる。シグナリング・チャネルは、トラフィック・チャネルをパンクチャし、そこではデータは、そのシグナリング・チャネルのための時間−周波数セグメントと衝突する時間−周波数ブロックの一部において、トラフィック・チャネル上に送られない。これゆえ、シグナリング・チャネルは、衝突が生じるときはいつでもトラフィック・チャネルをパンクチャする又は無効にする。
【０００７】
１つの実施形態では、シグナリングは、シグナリング・チャネル上に符号分割多重化（ＣＤＭ：code division multiplexing）を用いて送られる。送信機（例えば、端末）では、シグナリング・チャネルのためのリソース、例えば、時間−周波数セグメント、は、例えば、そのシグナリング・チャネルに関する周波数ホッピング・パターンに基づいて最初に決定される。シグナリングは、拡散コード（例えば、ウォルシュ・コード）を用いて拡散されて、拡散シグナリングを生成する、それは次に、シグナリング・チャネルのためのリソースにマッピングされる。１つの実施形態では、各リソースは、複数のクラスタへと区分され、そしてシグナリング・メッセージは、ダイバーシティを実現するために複数のリソース中の異なるクラスタにマッピングされる。トラフィック・データは、使用のために割り当てられたトラフィック・チャネルのための別のリソースにマッピングされることができる。シグナリング・チャネルのための別のリソースにマッピングされているトラフィック・データは、パンクチャされる。マッピングされたシグナリングとトラフィック・データは、さらに処理され（例えば、ＯＦＤＭ又はＳＣ−ＦＤＭＡのために変調され）、そして送信される。
【０００８】
１つの実施形態では、受信機（例えば、基地局）においてシグナリングを受信するために、受信シンボルは、シグナリング・チャネルのためのリソースから抽出される。抽出された受信シンボルは、拡散コードを用いて逆拡散されて、逆拡散シンボルを得る。抽出された受信シンボルは、シグナリングに対して使用されない１又はそれより多くの拡散コードを用いて同様に逆拡散されることができ、干渉推定値を得る。逆拡散されたシンボルは、（例えば、もし利用可能であれば、干渉推定値を用いて）検出され、送信されたシグナリングを再生する。異なるクラスタからの抽出された受信シンボルは、逆拡散されそして統合されることができて、これらのクラスタ上で送られたシグナリング・メッセージを再生する。受信されたシンボルは、割り当てられたトラフィック・チャネルのためのリソースから同様に抽出されることができる。シグナリング・チャネルのためのリソースから抽出された受信シンボルは、パンクチャされる。パンクチャされない受信シンボルは、デコードされたデータを得るために処理される。
【０００９】
本発明の様々な態様そして実施形態が、下記にさらに詳細に説明される。
【詳細な説明】
【００１０】
本発明の特徴及び本質は、図面を使用して以下に述べる詳細な説明から、さらに明確になるであろう。図面では、同じ参照符号は一貫して対応するものを識別する。
【００１１】
用語“具体例の”は、“例、事例、又は例示として働くこと”を意味するように本明細書中では使用される。“具体例の“として本明細書中で記載されたいずれかの実施形態又は設計が、他の実施形態又は設計に対して好ましい又は優位であるとして解釈される必要はない。
【００１２】
図１は、複数の基地局１１０と複数の端末１２０とを有する無線通信システム１００を示す。基地局は、端末と通信する局である。基地局は、同様に、アクセス・ポイント、ノードＢ、及び／又はある別のネットワーク・エンティティとも呼ばれ、そしてその幾つかの機能又は全ての機能を含むことができる。各基地局１１０は、特定の地理的なエリア１０２に対する通信可能範囲提供する。用語“セル”は、その用語が使用される文脈に応じて基地局及び／又はその通信可能範囲を呼ぶことができる。システム能力を向上させるために、基地局通信可能範囲は、複数のより小さなエリア、例えば、３つの小さなエリア１０４ａ，１０４ｂと１０４ｃ、へと区分されることができる。各々の小さなエリアは、それぞれ基地トランシーバ・サブシステム（ＢＴＳ：base transceiver subsystem）によって取り扱われる。用語“セクタ”は、その用語がその中で使用される文脈に応じてＢＴＳ及び／又はその通信可能範囲を呼ぶことができる。セクタ化されたセルに関して、そのセルの全てのセクタに対するＢＴＳは、一般的にそのセルのための基地局内に一緒に置かれる。本明細書中に記載されるシグナリング送信技術は、セクタ化されたセルを有するシステムに対して、同様にセクタ化されていないセルを有するシステムに対して使用されることができる。簡単のために、下記の説明では、用語“基地局”は、セクタを取り扱う局、同様にセルを取り扱う局に対して一般的に使用される。
【００１３】
端末１２０は、一般的にシステム全体に分散され、そして各端末は、固定される又は移動することができる。端末は、しかも、移動局、ユーザ装置、及び／又はある別のデバイスとも呼ばれることができ、そしてその幾つかの機能又は全ての機能を含むことができる。端末は、無線デバイス、セルラ電話機、個人ディジタル補助装置（ＰＤＡ：personal digital assistants）、無線モデム・カード、及びその他と呼ばれることができる。端末は、任意の所与の時間において順方向リンク上で及び逆方向リンク上でゼロの、１つの、又は複数の基地局と通信することができる。
【００１４】
中央集中化された構造に関して、システム・コントローラ１３０は、複数の基地局１１０に接続し、そしてそれらの基地局に対する調整及び制御を提供する。システム・コントローラ１３０は、１つのネットワーク・エンティティ又はネットワーク・エンティティの集合であり得る。分散型の構造に関して、複数の基地局は、必要に応じて互いに通信することができる。
【００１５】
本明細書中に説明されるシグナリング送信技術は、様々なタイプのシグナリング、例えば、ＡＣＫ情報、電力制御コマンド、チャネル品質指標（ＣＱＩ：channel quality indicator）、システム・リソースに対する要請、アクセス・プローブ、フィードバック情報、及びその他、を送るために使用されることができる。これらの技術は、順方向リンクと同様に逆方向リンクに対して使用されることができる。明確さのために、これらの技術は、逆方向リンク上にＡＣＫ情報を送るために下記に説明される。
【００１６】
システム１００は、ハイブリッド自動繰り返し要請（Ｈ−ＡＲＱ：hybrid automatic repeat request）送信を利用することができ、それは同様に増加冗長（ＩＲ：incremental redundancy）送信とも呼ばれる。Ｈ−ＡＲＱを用いて、パケットが受信機によって正しくデコードされるまで、又は最大数の送信が送られるまで、送信機は、データ・パケットについての１又はそれより多くの送信を送る。Ｈ−ＡＲＱは、データ送信に対する信頼性を改善し、そしてチャネル状態の変化の存在においてパケットに対するレート整合をサポートする。
【００１７】
図２は、順方向リンク上のＨ−ＡＲＱ送信を説明する。基地局は、データ・パケット（パケット１）を処理し（例えば、エンコードしそして変調し）、そして複数（Ｖ個）のデータ・ブロックを生成する、ここで、Ｖ＞１である。データ・パケットは、同様に、コードワード、及びその他とも呼ばれることができる。データ・ブロックは、同様に、サブパケット、Ｈ−ＡＲＱ送信、及びその他とも呼ばれる。パケットに対するデータ・ブロックは、端末が好ましいチャネル状態の下でパケットを正しくデコードすることを可能にするために十分な情報を含むことができる。Ｖ個のデータ・ブロックは、一般的にパケットに関する異なる冗長情報を含む。各データ・ブロックは、フレームで送られることができ、それは任意の時間の期間であり得る。Ｖ個のデータ・ブロックは、パケットが終わるまで１回に１つ送られ、そしてブロック送信は、Ｑフレームだけ離れて間を空けられる、ここで、Ｑ＞１である。
【００１８】
基地局は、フレームｍにおいてパケット１に関する第１データ・ブロック（ブロック１）を送信する。端末は、ブロック１を受信しそして処理して（例えば、復調しそしてデコードして）、パケット１がエラーでデコードされたことを判断し、そしてフレームｍ＋ｑにおいて基地局にＮＡＫを送る、ここで、ｑはＡＣＫ／ＮＡＫ遅延であり、そして１≦ｑ＜Ｑである。基地局は、ＮＡＫを受信し、そしてフレームｍ＋Ｑにおいてパケット１に関する第２データ・ブロック（ブロック２）を送信する。端末は、ブロック２を受信し、ブロック１と２を処理し、パケット１がエラーでデコードされたことを判断し、そしてフレームｍ＋Ｑ＋ｑにおいて基地局にＮＡＫを送り返す。ブロック送信とＮＡＫ応答は、Ｖ回まで継続することができる。例えば、図２に示されたように、基地局は、フレームｍ＋２Ｑにおいてパケット１に関するデータ・ブロック３（ブロック３）を送信する。端末は、ブロック３を受信し、パケット１に関するブロック１から３を処理し、パケットが正しくデコードされたことを判断し、そしてフレームｍ＋２Ｑ＋ｑにおいてＡＣＫを送り返す。基地局は、ＡＣＫを受信し、そしてパケット１の送信を終わらせる。基地局は、次のデータ・パケット（パケット２）を処理し、そして同様な方法でパケット２に関するデータ・ブロックを送信する。
【００１９】
図２では、新たなデータ・ブロックがＱフレーム毎に送られる。チャネル利用を向上させるために、基地局は、インターレースされた方法でＱ個までのパケットを送信することができる。１つの実施形態では、第１インターレースは、フレームｍ、ｍ＋Ｑ、等で形成され、第２インターレースは、フレームｍ＋１、ｍ＋Ｑ＋１、等で形成され、Ｑ番目のインターレースは、フレームｍ＋Ｑ−１、ｍ＋２Ｑ−１、等で形成される。Ｑ個のインターレースは、１フレームだけ互いにオフセットされる。基地局は、Ｑ個のインターレース上にＱ個までのパケットを送信することができる。例えば、Ｑ＝２の場合には、第１インターレースは、奇数番号のフレームを含むことができ、そして第２インターレースは、偶数番号のフレームを含むことができる。別の１つの例として、Ｑ＝６の場合には、６個のインターレースが形成されることができ、そして１つのインターレース方式で６個のパケットを送るために使用されることができる。概して、Ｈ−ＡＲＱ送信遅延ＱとＡＣＫ／ＮＡＫ遅延ｑは、一般的に送信機と受信機の両方にとって十分な処理時間を与えるように選択される。
【００２０】
明確さのために、図２は、ＮＡＫとＡＣＫの両方の送信を示す。下記の説明に対して仮定されるＡＣＫベースの方式に関して、パケットが正しくデコードされる場合に、ＡＣＫは送られ、そしてＮＡＫは送られずそしてＡＣＫが無いことにより推定される。
【００２１】
本明細書中で説明されるシグナリング送信技術は、様々な無線通信システム、例えば、ＣＤＭＡシステム、ＴＤＭＡシステム、ＦＤＭＡシステム、直交周波数分割多元接続（ＯＦＤＭＡ：orthogonal frequency division multiple access）システム、単一キャリア周波数分割多元接続（ＳＣ−ＦＤＭＡ）システム、及びその他、に対して使用されることができる。ＯＦＤＭＡシステムは、直交周波数分割多重化（ＯＦＤＭ）を利用する、それは全システム帯域幅を複数（Ｋ個）の直交サブキャリアへと区分する変調技術である。これらのサブキャリアは、しかもトーン、ビン、等とも呼ばれる。ＯＦＤＭを用いて、各サブキャリアは、データとともに無関係に変調されることができる。ＳＣ−ＦＤＭＡシステムは、システム帯域幅全体にわたり分散されたサブキャリア上に送信するためのインターリーブされたＦＤＭＡ（ＩＦＤＭＡ）、隣接するサブキャリアの１つのブロック上に送信するための局在化したＦＤＭＡ（ＬＦＤＭＡ）、又は隣接するサブキャリアの複数のブロック上に送信するための拡張ＦＤＭＡ（ＥＦＤＭＡ）を利用することができる。一般に、変調シンボルは、ＯＦＤＭを用いて周波数ドメインにおいて、そしてＳＣ−ＦＤＭＡを用いて時間ドメインにおいて送られる。
【００２２】
シグナリング送信技術は、同様に、様々なサブキャリア構造で使用されることができる。簡単のために、下記の説明は、Ｋ個の全サブキャリアが送信するために利用可能であり、そしてインデックス１からＫを与えられると仮定する。
【００２３】
図３Ａは、分散型サブキャリア構造３００を示す。サブキャリア構造３００に関して、Ｋ個の全サブキャリアは、Ｓ個の重ならない集合に配列され、その結果、各集合は、Ｋ個の全サブキャリア全体に一様に分散されているＮ個のサブキャリアを含む。各集合中の連続するサブキャリアは、Ｓ個のサブキャリアだけ離れて間を空けられる、ここで、Ｋ＝Ｓ・Ｎである。それゆえ、集合ｓは、ｓ∈｛１，．．．，Ｓ｝に対して、サブキャリアｓ，Ｓ＋ｓ，２Ｓ＋ｓ，．．．，（Ｎ−１）・Ｓ＋ｓを含む。
【００２４】
図３Ｂは、ブロック・サブキャリア構造３１０を示す。サブキャリア構造３１０に関して、Ｋ個の全サブキャリアは、Ｓ個の重ならない集合に配列され、その結果、各集合は、Ｎ個の連続するサブキャリアを含む、ここで、Ｋ＝Ｓ・Ｎである。それゆえ、集合ｓは、ｓ∈｛１，．．．，Ｓ｝に対して、サブキャリア（ｓ−１）・Ｎ＋ｓからｓ・Ｎを含む。
【００２５】
一般に、シグナリング送信技術は、任意の数のサブキャリア集合を有する任意のサブキャリア構造で使用されることができる。各サブキャリア集合は、任意の方法で配列されることができる任意の数のサブキャリアを含むことができる。例えば、各集合中のサブキャリアは、図３Ａに示されるようにシステム帯域幅全体にわたり一様に分散される、図３Ｂに示されるように隣接する、及びその他であることができる。サブキャリア集合は、同じ数の又は異なる数のサブキャリアを含むことができる。
【００２６】
図４は、時間−周波数ブロックへの時間と周波数の具体例の区分を示す。時間−周波数ブロックは、同様に、タイル、トラフィック・ブロック、又はある別の用語で呼ばれることもできる。１つの実施形態では、時間−周波数ブロックは、特定の時間インターバルにおける特定のサブキャリア集合に対応し、その時間インターバルは１又は複数のシンボル期間に広がることができる。シンボル期間は、１つのＯＦＤＭシンボル又は１つのＳＣ−ＦＤＭＡシンボルの継続期間である。Ｓ個の直交時間−周波数ブロックは、各時間インターバルにおいて利用可能である。
【００２７】
システム１００は、トラフィック・チャネルを定めることができ、利用可能なシステム・リソースの割り当てと使用を容易にする。トラフィック・チャネルは、送信機から受信機へデータを送るための手段であり、そして同様に、チャネル、物理チャネル，物理層チャネル、データ・チャネル、送信チャネル、及びその他とも呼ばれることができる。トラフィック・チャネルは、周波数及び時間のような様々なタイプのシステム・リソースに対して定められることができる。
【００２８】
一般に、任意の数のトラフィック・チャネルが定められることができ、そしてトラフィック・チャネルは、同じ送信能力又は異なる送信能力を有することができる。簡単のために、下記の記載の多くは、Ｓ個のトラフィック・チャネルが定められことを仮定し、そのそれぞれはデータ送信のために使用する各時間インターバルにおいて１つの時間−周波数ブロックにマッピングされるトラフィック・チャネル有する。これらのＳ個のトラフィック・チャネルは、Ｓ個までの端末に割り当てられることができる。
【００２９】
図４は、しかも具体例の周波数ホッピング方式４００を示す。方式４００に関して、各トラフィック・チャネルは、時間−周波数ブロックの特定の系列にマッピングされ、それは図４に示されるように周波数ダイバーシティを実現するために異なる時間インターバルで周波数全体にわたりホップする。ホップ・インターバルは、所定のサブキャリア集合上で費やされる時間の長さであり、そして図４に示される実施形態に関しては１つの時間インターバルに等しい。周波数ホッピング（ＦＨ：frequency hopping）パターンは、データ送信のために使用される各時間インターバルにおいて各トラフィック・チャネルに対して使用される特定の時間−周波数ブロックを指す。図４は、トラフィック・チャネルｙに対する時間−周波数ブロックの系列を示す。別のトラフィック・チャネルは、トラフィック・チャネルｙに対する時間−周波数ブロック系列の垂直に及び循環的にシフトしたバージョンにマッピングされることができる。
【００３０】
周波数ホッピングは、図３Ａ及び図３Ｂに示したサブキャリア構造で使用されることができる。シンボル・レート・ホッピングと呼ばれる１つの実施形態では、時間−周波数ブロックは、１シンボル期間における（例えば、図３Ａに示されたような）１つの分散型サブキャリア集合である。シンボル・レート・ホッピングに関して、トラフィック・チャネルのためのサブキャリアは、システム帯域幅全体にわたり広がり、そしてシンボル期間毎に変化する。ブロック・ホッピングと呼ばれる別の実施形態では、時間−周波数ブロックは、複数のシンボル期間における（例えば、図３Ｂに示されたような）１つの連続するサブキャリア集合である。ブロック・ホッピングに関して、トラフィック・チャネルのためのサブキャリアは、全体のホップ・インターバルの間連続しそして一定であるが、ホップ・インターバル毎に変化する。他の周波数ホッピング方式が、同様に定義されることができる。
【００３１】
端末は、基地局に逆方向リンク受領通知チャネル（Ｒ−ＡＣＫＣＨ）上にＡＣＫ情報を送ることができ、順方向リンク上で基地局により送られたＨ−ＡＲＱ送信の受領を通知することができる。Ｒ−ＡＣＫＣＨは、下記の説明ではＡＣＫチャネルとも呼ばれる。図２に戻って参照して、Ｈ−ＡＲＱ送信は、１フレームで送られ、それは１又はそれより多くのホップ・インターバルに広がることがある。端末は、各フレームのあいだにＡＣＫ／ＮＡＫを送ることができ、そのフレームではＨ−ＡＲＱ送信が基地局から受信される。異なるフレーム・サイズのＡＣＫチャネルの複数の実施形態が、下記に説明される。
【００３２】
図５Ａは、ＡＣＫチャネルのためのシグナリング送信方式５００を示す。図５Ａに示された実施形態に関して、フレームは、２ホップ・インターバルに広がり、そしてＡＣＫチャネルは、各ＡＣＫフレームにおいて１つの時間−周波数ブロックにマッピングされる。ＡＣＫフレームは、そこでＡＣＫチャネルが送られるフレームであり、そしてデータ・フレームは、データ送信のために使用されるフレームである。各データ・フレームは、図２に示されたように、ｑ個のフレームだけ離れているＡＣＫフレームに関係付けられることができる。ＡＣＫチャネルは、以下に説明されるように、ＡＣＫチャネルがそこにマッピングされる各時間−周波数ブロックの全て又は一部をパンクチャすることができる。
【００３３】
図５Ｂは、ＡＣＫチャネルのためのシグナリング送信方式５１０を示す。図５Ｂに示された実施形態に関して、Ｓ＝３２、フレームは、１ホップ・インターバルに広がり、そしてＡＣＫチャネルは、各ＡＣＫフレームにおいて４つの時間−周波数ブロックにマッピングされる。ＡＣＫチャネルは、各時間−周波数ブロックの全てを又は一部をパンクチャすることができる。
【００３４】
明確さのために、図５Ａと図５Ｂは、ＡＣＫチャネルがトラフィック・チャネルｙのために使用される時間−周波数ブロックにマッピングされるときはいつでも、１つのトラフィック・チャネルをパンクチャリングするＡＣＫチャネルを示す。ＡＣＫチャネルは、明確さのために図５Ａと図５Ｂに番号を付けられていない別のトラフィック・チャネルを同様にパンクチャする。端末は、割り当てられたトラフィック・チャネル（例えば、トラフィック・チャネルｙ）上にデータを送信することができ、そしてＡＣＫチャネル上にＡＣＫメッセージを送信することができる。もし複数のトラフィック・チャネルが利用可能である場合には、ＡＣＫチャネルは、割り当てられたトラフィック・チャネル上の送信の一部だけをパンクチャし、そして別のトラフィック・チャネル上の別の端末からの大部分の送信をパンクチャする。
【００３５】
一般に、ＡＣＫチャネルは、各ＡＣＫフレームにおいて任意の数の時間−周波数ブロックにマッピングされることができる。１つの実施形態では、ＡＣＫチャネルは、各ＡＣＫフレームにおいて一定の数の時間−周波数ブロックにマッピングされることができる。この一定の数は、利用可能なトラフィック・チャネルの数及び／又はある別の要因に基づいて決定されることができる。別の実施形態では、ＡＣＫチャネルは、各ＡＣＫフレームにおいて設定可能な数の時間−周波数ブロックにマッピングされることができる。この設定可能な数は、使用中のトラフィック・チャネルの数、各トラフィック・チャネル上で送られるパケットの数、各時間−周波数ブロックにおいて送られることができるＡＣＫビットの数、及びその他、に基づいて決定されることができる。
【００３６】
図５Ａと図５Ｂは、ＡＣＫチャネルを用いてトラフィック・チャネルをパンクチャするための特定の実施形態を示す。別の実施形態では、ＡＣＫチャネルは、１又はそれより多くの一定のサブキャリア集合にマッピングされ、そしてトラフィック・チャネルは、一定のＡＣＫチャネルを中心としてホップする。さらに別の実施形態では、Ｓ個のサブキャリア集合は、その各々がＳ／Ｇ個の連続するサブキャリア集合を含んでいるＧ個の領域へと配置される。ＡＣＫチャネルは、次に各領域中の１つのサブキャリア集合にマッピングされる。ＡＣＫチャネルは、別の方法でトラフィック・チャネルを同様にパンクチャすることができる。
【００３７】
一般に、ＡＣＫチャネルは、擬似−ランダムな方式又は決定論的な方法で時間−周波数ブロックにマッピングされることができる。ＡＣＫチャネルは、例えば、図５Ａと図５Ｂに示されたように、周波数ダイバーシティと干渉ダイバーシティを実現するために異なるサブキャリア集合にマッピングされることができる。１つの実施形態では、ＡＣＫチャネルは、トラフィック・チャネルに関して擬似−ランダムであり、そしてトラフィック・チャネルを同じ程度にパンクチャする。これは、ＡＣＫチャネルをホッピングすることにより、トラフィック・チャネルをホッピングすることにより、又はＡＣＫチャネルとトラフィック・チャネルの両方をホッピングすることにより、実現されることができる。ＦＨパターンは、各ＡＣＫフレームにおいてＡＣＫチャネルに対する（複数の）特定の時間−周波数ブロックを指示することができる。このＦＨパターンは、端末に送られることができる、又は端末により事前に知られることができる。いずれのケースでも、端末は、ＡＣＫチャネルにより占有される時間−周波数ブロックの知識を有する。
【００３８】
図６は、ＡＣＫチャネルによる時間−周波数ブロックのパンクチャリングの１つの実施形態を示す。時間−周波数ブロックは、Ｎ個のサブキャリアをカバーし、そしてＴ個のシンボル期間に広がる。一般に、ＡＣＫチャネルは、時間−周波数ブロックの全て又は一部をパンクチャすることができる。ＡＣＫセグメントは、ＡＣＫチャネルのために使用される時間−周波数セグメントである。
【００３９】
ＡＣＫセグメントは、パンクチャされそしてＡＣＫチャネルのために使用される時間−周波数ブロックの一部により形成される。一般に、ＡＣＫセグメントは、任意の数のサブキャリアをカバーすることができ、そして任意の数のシンボル期間に広がることができる。１つの実施形態では、それは図６に示されていないが、ＡＣＫチャネルは、全体の時間−周波数ブロックをパンクチャする。この実施形態に関して、ＡＣＫチャネルは、全体の時間−周波数ブロックにおいて送られ、そしてトラフィック・データは、時間−周波数ブロックには送られない。図６に示される別の実施形態では、ＡＣＫチャネルは、時間−周波数ブロックの一部をパンクチャする。例えば、ＡＣＫチャネルは、時間−周波数ブロックの半分、４分の１、８分の１、又はある別の割合をパンクチャすることができる。パンクチャされた部分は、図６に示されるように、時間と周波数との両方において連続することができる。連続するサブキャリア上の送信は、結果として低いピーク対平均出力比（ＰＡＰＲ：peak-to-average power ratio）をもたらすことができ、それは望ましい。あるいは、パンクチャされた部分は、周波数全体にわたり、時間全体にわたり、又は周波数と時間の両方の全体にわたり広げられることができる。いずれのケースでも、ＡＣＫチャネルは、時間−周波数ブロックのパンクチャされた部分で送られ、そしてトラフィック・データは、時間−周波数ブロックの残りの部分で送られることができる。
【００４０】
図７Ａは、ＡＣＫセグメントの１つの実施形態を示す。この実施形態に関して、ＡＣＫセグメントは、８つのサブキャリアをカバーし、そして８つのシンボル期間に広がる。ＡＣＫセグメントは、６４送信ユニットを含む。１送信ユニットは、１シンボル期間中の１サブキャリアである。図７Ａに示された実施形態に関して、ＡＣＫセグメントは、４つのクラスタへと区分される。各クラスタは、８つのサブキャリアをカバーし、２つの連続するシンボル期間に広がり、そして１６の送信ユニットを含む。
【００４１】
一般に、ＡＣＫセグメントは、様々な方式で区分されることができる。別の実施形態では、各クラスタは、２つのサブキャリアをカバーし、そして全ての８シンボル期間に広がる。さらに別の実施形態では、全てのサブキャリアをカバーし、そしてＡＣＫセグメントの全てのシンボル期間に広がる。例えば、クラスタ１は、シンボル期間１と５においてサブキャリア１と２を、シンボル期間２と６においてサブキャリア３と４を、シンボル期間３と７においてサブキャリア５と６を、及びシンボル期間４と８においてサブキャリア７と８を含むことができる。
【００４２】
図７Ｂは、ＡＣＫセグメントによりパンクチャされない時間−周波数ブロックの１つの実施形態を示す。この実施形態に関して、時間−周波数ブロックは、１６のサブキャリアをカバーし、８のシンボル期間に広がり、そして１２８の送信ユニットを含む。パイロット・シンボルは、複数の送信ユニットのうちのいくつかで送られることができ、そしてデータ・シンボルは、残りの送信ユニット上で送られることができる。本明細書中で使用されるように、データ・シンボルは、トラフィック・データのためのシンボルであり、パイロット・シンボルは、パイロットのためのシンボルであり、そのパイロットは、基地局と端末の両者により事前に知られるデータであり、シグナリング・シンボルは、シグナリングのためのシンボルであり、そしてシンボルは、一般的に複素値である。図７Ｂに示された実施形態に関して、パイロット・シンボルは、シンボル期間１，２，３，６，７と８においてサブキャリア１，９及び１６上で、すなわち、３のパイロット・シンボルの６のストライプ上で送られる。パイロット・シンボルは、例えば、図７Ｂに示されるように、周波数全体にわたり分散されることができ、そして時間−周波数ブロックのためのチャネル推定値を導出するために使用されることができる。チャネル推定値は、時間−周波数ブロック中に送られたデータ・シンボルに対するデータ検出を実行するために使用されることができる。
【００４３】
図７Ｃは、ＡＣＫセグメントによりパンクチャされた時間−周波数ブロックの実施形態を示す。この実施形態に関して、パイロット・シンボルは、シンボル期間１，２，３，６，７と８においてサブキャリア９と１６上で、すなわち３のパイロット・シンボルの４のストライプ上で送られる。パイロット・シンボルは、時間−周波数ブロックのパンクチャされない部分に対するチャネル推定値を導出するために使用されることができる。
【００４４】
図７Ｂと図７Ｃに示された実施形態は、取扱いセクタが１又はそれより多くの隣接セクタのためのＡＣＫセグメントに対する干渉推定値を導出することを可能にする。もしこの時間−周波数ブロックが取扱いセクタのためのＡＣＫセグメントによってパンクチャされていない場合に、端末は、その取扱いセクタに全体の時間−周波数ブロック上で送信することができる。しかしながら、この時間−周波数ブロックは、１又はそれより多くの隣接セクタのためのＡＣＫセグメントと衝突することがある。このケースでは、時間−周波数ブロックの下側半分は、（複数の）隣接セクタのためのＡＣＫセグメントからより高い干渉を観測することがある。取扱いセクタは、シンボル期間１，２，３，６，７と８においてサブキャリア１上で送られるパイロット・シンボルに基づいて（複数の）他のセクタからの干渉を推定することができる。取扱いセクタは、時間−周波数ブロックにおいて送られるデータ・シンボルのデータ検出のために干渉推定値を使用することができる。
【００４５】
図７Ｂと図７Ｃは、時間−周波数ブロックにおいてパイロットとデータを送るための１つの実施形態を示す。パイロットとデータは、同様に、時間−周波数ブロックに関する様々な別のパターンを使用して送られることができる。一般に、十分な数のパイロット・シンボルが、時間−周波数ブロック上で送られることができて、取扱いセクタのためのＡＣＫセグメントによるパンクチャリング有りでそしてなしで、取扱いセクタが時間−周波数ブロックに関するチャネル推定値を導出することを可能にする。十分な数のパイロット・シンボルが、隣接するセクタからのＡＣＫセグメントに対する干渉推定値を導出することができるように、配置されることができる。
【００４６】
端末は、基地局から受信した各Ｈ−ＡＲＱ送信に対してＡＣＫメッセージを送ることができる。各ＡＣＫメッセージ中で送られる情報の量は、対応するＨ−ＡＲＱ送信中に送られるパケットの数に依存することがある。１つの実施形態では、ＡＣＫメッセージは、１ビットを含み、それは１つのパケットに対するＨ−ＡＲＱ送信の受領を通知する。別の実施形態では、ＡＣＫメッセージは、複数（Ｂ個）のビットを含み、それはＢ個のパケットに対するＨ−ＡＲＱ送信の受領を通知する。１つの実施形態では、ＡＣＫメッセージは、オン／オフ暗号法（keying）、例えば、ＡＣＫに対して‘１’そしてＮＡＫに対して‘０’、を用いて送られる。別の実施形態では、ＡＣＫメッセージは、送信の前にエンコードされる。
【００４７】
複数の端末は、符号分割多重化（ＣＤＭ）、時分割多重化（ＴＤＭ）、周波数分割多重化（ＦＤＭ）、ある別の直交多重化方式、又はそれらの組み合わせを使用して自身のＡＣＫメッセージを送ることができる。複数の端末は、任意の直交多重化方式を使用してＡＣＫセグメントの同じクラスタで自身のＡＣＫメッセージを送ることができる。
【００４８】
別の実施形態では、ＡＣＫメッセージは、ＣＤＭを使用して送られる。この実施形態に関して、端末は、異なる拡散コード又は系列を割り当てられ、そして各端末は、自身の拡散コードを用いて自身のＡＣＫメッセージを拡散する。その端末に関する拡散されたＡＣＫメッセージは、コード・ドメインにおいて互いに直交する。
【００４９】
１つの実施形態では、拡散コードは、アダマール行列の列を用いて形成される直交コードである。２×２アダマール行列Ｗ２×２及びより大きなサイズのアダマール行列Ｗ２Ｌ×２Ｌは、次式のように表わされることができる：
【数１】
2009514449.tif 000003
【００５０】
２の累乗（例えば、２×２、４×４、８×８、等）である２次元のアダマール行列は、式（１）に示されるように形成されることができる。
【００５１】
別の実施形態では、拡散コードは、フーリエ行列の列を用いて形成される直交コードである。Ｌ×Ｌフーリエ行列ＦＬ×Ｌは、ｍ番目の列のｎ番目の行に要素ｆｎ，ｍを有し、それは次のように表わされる：
【数２】
2009514449.tif 000004
【００５２】
任意の２次元（例えば、２×２、３×３、４×４、５×５、等）のフーリエ行列は、式（２）に示されるように形成されることができる。
【００５３】
１−ビットＡＣＫメッセージは、Ｌ−チップ拡散コードを用いて拡散されることができて、Ｌ個のチップを含む拡散されたＡＣＫメッセージを生成し、次式のようである：
ｘｕ，ｉ＝ａｕ・ｗｕ，ｉ，        ｉ＝１，．．．，Ｌに対して              式（３）
ここで、ａｕは、端末ｕに対するＡＣＫビットであり、それは０又は１の値、すなわち、ａｕ∈｛０，１｝を有することができる；
ｗｕ，ｉは、端末ｕに割り当てられた拡散コードのｉ番目のチップであり；そして
ｘｕ，ｉは、端末ｕに対する拡散されたＡＣＫメッセージのｉ番目のチップである。
【００５４】
拡散されたＡＣＫメッセージのＬ個のチップは、例えば、ＯＦＤＭＡのように、これらのＬ個のＡＣＫチップをＡＣＫセグメント中のＬ個の送信ユニットにマッピングすることにより周波数ドメインにおいて送られることができる。あるいは、これらのＬ個のＡＣＫチップは、例えば、ＳＣ−ＦＤＭＡのように、Ｌ個の周波数ドメイン・シンボルを得るためにＬ−点ＤＦＴ／ＦＦＴを実行することにより、そしてこれらのＬ個のシンボルをＡＣＫセグメント中のＬ個の送信ユニットにマッピングすることにより、時間ドメインにおいて送られることができる。
【００５５】
図７Ａに示された実施形態に関して、１−ビットＡＣＫメッセージは、１６の送信ユニットで送られることができ、そしてＡＣＫビットは、１６−チップ拡散コードを用いて拡散されることができて、１６のＡＣＫチップを生成する。これらの１６のＡＣＫチップは、次に、１つのＡＣＫクラスタ中の１６の送信ユニットにマッピングされることができる。１５までの別の端末は、別の拡散コードを使用して同じクラスタ中にそれら自身のＡＣＫメッセージを送ることができる。６４までの端末は、１つのＡＣＫセグメント中にＡＣＫメッセージを送ることができる。
【００５６】
１つの実施形態では、利用可能な拡散コードのサブセットが、ＡＣＫ情報を送るために使用される。残りの拡散コードは、ＡＣＫ情報を送るために使用されず、そしてその代りに干渉推定のために使用される。１つの実施形態では、各クラスタは、（例えば、図７Ａに示されるように）１６の送信ユニットを含み、８の拡散コードは、ＡＣＫ情報を送るために使用されることができそして使用可能な拡散コードと呼ばれ、そして残りの８の拡散コードは、干渉推定のために使用されそして予備の拡散コードと呼ばれる。この実施形態に関して、８の使用可能な拡散コードは、各クラスタに対して利用可能であり、そして３２までのＡＣＫメッセージは、１つのＡＣＫセグメントにおいて送られることができる。この実施形態に関して、８の予備の拡散コードは、各クラスタ中の干渉推定のために使用されることができる。３２より多くのＡＣＫメッセージは、ＡＣＫメッセージを送ることのためにより多くの拡散コードを割り当てることにより１つのＡＣＫセグメントにおいて送られることができる。３２より多くのＡＣＫメッセージは、ＡＣＫチャネルに対してより多くのＡＣＫセグメントを割り当てることにより１つのＡＣＫフレームにおいて送られることができる。
【００５７】
別の実施形態では、ＡＣＫメッセージは、ＴＤＭ又はＦＤＭを使用して送られる。この実施形態に関して、端末は、ＡＣＫチャネルに対して異なる送信ユニットを割り当てられ、そして各端末は、自身の割り当てられた送信ユニット中に自身のＡＣＫメッセージを送る。端末に対するＡＣＫメッセージは、そのような訳で、時間において及び／又は周波数において互いに直交するはずである。図７Ａに示されたＡＣＫセグメントに基づく１つの実施形態では、８の端末は、クラスタの８行を割り当てられることができ、そして各端末は、割り当てられた行中の２つの送信ユニット上に自身のＡＣＫビットを送ることができる。別の実施形態では、４個のクラスタが形成され、各クラスタは２個のサブキャリアをカバーしそして８シンボル期間に広がる。８個の端末は、クラスタの８列を割り当てられることができ、そして各端末は、割り当てられた列中の２個の送信ユニット上に自身のＡＣＫビットを送ることができる。
【００５８】
図８は、周波数及び時間ダイバーシティを実現するためにＡＣＫメッセージを送信するための１つの実施形態を示す。この実施形態に関して、ＡＣＫメッセージは、複数（Ｃ個）のＡＣＫセグメント中の異なるクラスタ上で、各ＡＣＫセグメント中の１つのクラスタ上で送られる。図８に示された実施形態に関して、Ｃ＝４、そしてＡＣＫメッセージは、時間ダイバーシティを実現するために４つのＡＣＫセグメント中の４つの異なるクラスタ上で送られる。より長い時間インターバルにわたりＡＣＫメッセージを送ることは、通信可能範囲の端のところに位置する端末に対するリンク・バジェットを同様に改善することができる。これらの不利な条件の端末は、一般的に送信出力の上限を有する。ＡＣＫメッセージに対するより長い送信時間インターバルは、不利な条件に置かれた端末が時間のより長い継続期間にわたりより大きなエネルギー広がりでＡＣＫメッセージを送信することを可能にし、それはＡＣＫメッセージを正しく受信する確率を向上させる。４つのＡＣＫセグメントが異なる２−シンボル・インターバルにおいて異なるサブキャリア集合を占有するので、ＡＣＫメッセージは、同様に、周波数ダイバーシティを実現する。Ｃ次のダイバーシティは、Ｃ個のＡＣＫセグメントの異なるクラスタにおいてＡＣＫメッセージを送ることによってそのＡＣＫメッセージに対して実現されることができる。
【００５９】
１つの実施形態では、ＡＣＫメッセージは、Ｃ個のＡＣＫセグメント中の異なるクラスタ上で送られ、そして端末は、擬似−ランダムな方式で又は決定論的な方式でクラスタにマッピングされ、その結果、各端末に対するＡＣＫメッセージは、ＡＣＫメッセージがその上で送られるＣ個のクラスタのそれぞれにおいて端末の異なる集合から干渉を観測する。この実施形態は、各端末により送られるＡＣＫメッセージに対する時間及び周波数ダイバーシティを提供する。この実施形態は、別の端末からの干渉に関するダイバーシティをさらに提供する。
【００６０】
基地局は、相補的な逆拡散を実行して、端末により送られたＡＣＫメッセージを再生する。各端末ｕに関して、基地局は、端末ｕに割り当てられた拡散コードを用いて端末ｕにより使用されるＣ個のクラスタのそれぞれからの受信シンボルを逆拡散し、そしてＣ個のクラスタに対するＣ個の逆拡散シンボルを得る。Ｃ個のクラスタのそれぞれに関して、基地局は、予備の拡散コードのそれぞれを用いて受信シンボルを同様に逆拡散することができ、そのクラスタに関する干渉推定値を得る。基地局は、次に、Ｃ個のクラスタに対する干渉推定値を用いて端末ｕに対するＣ個の逆拡散されたシンボルをスケーリングしそして統合することができて、下記に説明されるように、端末ｕのための検出されたＡＣＫメッセージを得ることができる。
【００６１】
本明細書中に説明されるシグナリング送信技術は、様々なチャネル構造で使用されることができる。具体例のチャネル構造が、下記に説明される。
【００６２】
図９は、バイナリ・チャネル・ツリー９００の１つの実施形態を示す。図９に示された実施形態に関して、Ｓ＝３２のサブキャリア集合が、使用のために利用可能である。トラフィック・チャネルの集合は、３２のサブキャリア集合を用いて定義されることができる。各トラフィック・チャネルは、固有のチャネルＩＤを割り当てられ、そして各時間インターバルにおいて１又はそれより多くのサブキャリア集合にマッピングされる。例えば、トラフィック・チャネルは、チャネル・ツリー９００中の各ノードに対して定められることができる。トラフィック・チャネルは、各タイアに対して上から下へ、そして左から右へ連続的に番号を付けられることができる。最上部のノードに対応する最大のトラフィック・チャネルは、０のチャネルＩＤを割り当てられ、そして全ての３２のサブキャリア集合にマッピングされる。最も低いタイア１中の３２のトラフィック・チャネルは、３１から６２のチャネルＩＤを有し、そしてベース・トラフィック・チャネルと呼ばれる。各ベース・トラフィック・チャネルは、１つのサブキャリア集合にマッピングされる。
【００６３】
図９に示されたツリー構造は、直交システムのためのトラフィック・チャネルの使用についてある種の制約を提起する。割り当てられている各トラフィック・チャネルに関して、割り当てられたトラフィック・チャネルのサブセット（すなわち、下降点）である全てのトラフィック・チャネル及びそれに対して割り当てられたトラフィック・チャネルがサブセットである全てのトラフィック・チャネルは、制限される。制限されたトラフィック・チャネルは、その割り当てられたトラフィック・チャネルと同時に使用されず、その結果、どの２つのトラフィック・チャネルも同時に同じサブキャリア集合を使用しない。
【００６４】
１つの実施形態では、ＡＣＫリソースは、使用のために割り当てられている各トラフィック・チャネルに割り当てられる。ＡＣＫリソースは、同様にＡＣＫサブチャネル又はある別の用語で呼ばれることができる。ＡＣＫリソースは、各ＡＣＫフレームにおいてＡＣＫメッセージを送るために使用する直接関係するリソース（例えば、拡散コード及びクラスタの集合）を含む。この実施形態に関して、各トラフィック・チャネルに対するＡＣＫメッセージは、割り当てられたＡＣＫリソース上で送られる。割り当てられたＡＣＫリソースは、端末に信号送信されることができる。
【００６５】
別の実施形態では、ＡＣＫリソースは、チャネル・ツリーの最下部のタイア中のベース・トラフィック・チャネルのそれぞれに関係付けられる。この実施形態は、最小サイズのトラフィック・チャネルの最大数の割り当てを可能にする。最下部のタイアの上方のノードに対応するより大きなトラフィック・チャネルは、（１）より大きなトラフィック・チャネルの下側の全てのベース・トラフィック・チャネルのためのＡＣＫリソース、（２）ベース・トラフィック・チャネルのうちの１つ、例えば、最も低いチャネルＩＤを有するベース・トラフィック・チャネル、のためのＡＣＫリソース、又は（３）より大きなトラフィック・チャネルの下側のベース・トラフィック・チャネルのサブセットに対するＡＣＫリソース、を使用することができる。上記のオプション（１）と（３）に関して、より大きなトラフィック・チャネルに対するＡＣＫメッセージは、複数のＡＣＫリソースを使用して送られることができ、正しい受信の可能性を向上させることができる。もし複数のパケットが、例えば、多元入力多元出力（ＭＩＭＯ：multiple-input multiple-output）送信を使用して、並行して送られる場合には、複数のベース・トラフィック・チャネルを有するより大きなトラフィック・チャネルが、送信のために割り当てられることができる。ベース・トラフィック・チャネルの数は、パケットの数に等しい又はそれより大きい。各パケットは、異なるベース・トラフィック・チャネルにマッピングされることができる。各パケットに対するＡＣＫは、次に関係するベース・トラフィック・チャネルのためのＡＣＫリソースを使用して送られる。
【００６６】
さらに別の実施形態では、ＡＣＫリソースは、受領を通知するために各パケットに割り当てられる。もし１つのパケットが１つのフレームで送られる場合には、端末は、１つのＡＣＫリソースを割り当てられることができる。もし複数のパケットが１つのフレームで、例えば、より大きなトラフィック・チャネル又は複数のアンテナを介して送信するために空間多重化、のどちらかを使用して送られる場合には、端末は、複数のＡＣＫリソースを割り当てられることができる。
【００６７】
さらに別の実施形態では、Ｈ−ＡＲＱ送信は、複数のインターレースに広がることができ、そしてＡＣＫメッセージは、複数のＡＣＫフレームで送られる。基地局は、複数のＡＣＫフレームに対するＡＣＫメッセージを統合することができ、ＡＣＫ検出性能を向上させることができる。
【００６８】
システム１００は、単一キャリア・モードとマルチ−キャリア・モードとをサポートすることができる。単一キャリア・モードでは、Ｋ個のサブキャリアが、送信のために利用可能であり、そしてＡＣＫチャネルは、上記のようにトラフィック・チャネルをパンクチャすることができる。マルチ−キャリア・モードでは、Ｋ個のサブキャリアは、複数のキャリアのそれぞれに対して利用可能であり得る。ＡＣＫチャネルは、マルチ−キャリア・モードのために拡大されることができ、より多くのトラフィック・チャネルをサポートすることができる及び／又はより多くのキャリアを用いて送られることができるより多くのパケットの受領を通知することができる。
【００６９】
ＡＣＫチャネルに対する送信出力は、良い性能を達成するために制御されることができ、それは、所定の目標ＡＣＫ−ＮＡＫエラー率（例えば、１％）、所定の目標ＮＡＫ−ＡＣＫエラー率（例えば、０．１％）、及び／又はあるその他の尺度、によって定量化されることができる。１つの実施形態では、所定の端末のためのＡＣＫチャネルに対する送信出力は、その端末のためのＡＣＫチャネルに対して測定された性能に基づいて調節される。別の実施形態では、ＡＣＫチャネルに対する送信出力は、参照チャネルに対する送信出力に基づいて調節される。参照チャネルは、頻繁に又は定期的に送られるいずれかのチャネルであり、例えば、トラフィック・チャネル又はチャネル品質指標（ＣＱＩ）チャネルのようなシグナリング・チャネルである。ＡＣＫチャネルは、出力基準として参照チャネルに対する送信出力を使用することができる。ＡＣＫチャネルに対する送信出力は、出力基準足すデルタに等しく設定されることができ、それはＡＣＫチャネルの性能に基づいて調節されることができる。参照チャネルは、そのように短期間の出力設定値のために使用されるが、一方でＡＣＫチャネルの長期間オフセットは、ＡＣＫ性能に基づいて制御される。
【００７０】
図１０は、シグナリングとトラフィック・データを送るためのプロセス１０００の１実施形態を示す。シグナリングは、ＡＣＫメッセージ又はある別のタイプのシグナリングであり得る。プロセス１０００は、逆方向リンク上に送信するために端末によって実行されることができる。
【００７１】
図１０に示された実施形態に関して、シグナリングは、ＣＤＭを用いて送られる。トラフィック・チャネルをパンクチャするシグナリング・チャネルのための時間−周波数セグメントは、例えば、シグナリング・チャネルに関する周波数ホッピング・パターンに基づいて決定される（ブロック１０１２）。シグナリングは、生成され（ブロック１０１４）、そして拡散コード（例えば、ウォルシュ・コード）を用いて拡散されて拡散シグナリングを得る（ブロック１０１６）。拡散シグナリングは、シグナリング・チャネルのための時間−周波数セグメントにマッピングされる（ブロック１０１８）。各時間−周波数セグメントは、複数のクラスタを含むことができる。シグナリング・メッセージは、ダイバーシティを実現するために複数の時間−周波数セグメント中の異なるクラスタにマッピングされることができる。シグナリングは、ＣＤＭの代わりに別の多重化方式を用いて同様に送られることができる。
【００７２】
トラフィック・データは、処理されそして使用のために割り当てられたトラフィック・チャネルのための時間−周波数ブロックにマッピングされる（ブロック１０２２）。シグナリング・チャネルのための時間−周波数セグメントにマッピングされているトラフィック・データは、パンクチャされる（ブロック１０２４）。ＯＦＤＭシンボル又はＳＣ−ＦＤＭＡシンボルは、マッピングされたシグナリングとトラフィック・データに対して生成される（ブロック１０２６）。
【００７３】
図１１は、シグナリングとトラフィック・データを送るための装置１１００の１つの実施形態を示す。装置１１００は、トラフィック・チャネルをパンクチャするシグナリング・チャネルのための時間−周波数セグメントを決定するための手段（ブロック１１１２）、シグナリングを生成するための手段（ブロック１１１４）、拡散シグナリングを生成するために拡散コード（例えば、ウォルシュ・コード）を用いてシグナリングを拡散するための手段（ブロック１１１６）、及びシグナリング・チャネルのための時間−周波数セグメントに拡散シグナリングをマッピングするための手段（ブロック１１１８）を含む。シグナリング・メッセージは、ダイバーシティを実現するために複数の時間−周波数セグメント中の異なるクラスタにマッピングされることができる。装置１１１０は、さらに割り当てられたトラフィック・チャネルのための時間−周波数ブロックにトラフィック・データを処理しそしてマッピングするための手段（ブロック１１２２）、シグナリング・チャネルのための時間−周波数セグメントにマッピングされるトラフィック・データをパンクチャするための手段（ブロック１１２４）、及びマッピングされたシグナリング及びトラフィック・データに対するＯＦＤＭシンボル又はＳＣ−ＦＤＭＡシンボルを生成するための手段（ブロック１１２６）を含む。
【００７４】
図１２は、シグナリングとトラフィック・データを受け取るためのプロセス１２００の１つの実施形態を示す。プロセス１２００は、基地局により実行されることができて、逆方向リンク上で送られるシグナリングとデータを受け取る。シグナリング・チャネルのための時間−周波数セグメントが決定される（ブロック１２１２）。受信シンボルは、シグナリング・チャネルのための時間−周波数セグメントから抽出される（ブロック１２１４）。抽出された受信シンボルは、送信されたシグナリングを再生するために処理される。図１２に示された実施形態では、抽出された受信シンボルは、端末に対する逆拡散されたシンボルを得るためにその端末に割り当てられた拡散コードを用いて逆拡散される（ブロック１２１６）。抽出された受信シンボルは、干渉推定値を得るためにシグナリングに対して使用されなかった（複数の）拡散コードを用いて同様に逆拡散されることができる。逆拡散されたシンボルは、端末により送られたシグナリングを再生するために（例えば、もし利用可能ならば、干渉推定値を用いて）検出される（ブロック１２２０）。シグナリング・メッセージは、複数の時間−周波数セグメント中の異なるクラスタ上で送られることができる。このケースでは、受信シンボルは、各クラスタから抽出されそして拡散コードを用いて逆拡散され、そして異なるクラスタに対する逆拡散シンボルは、シグナリング・メッセージを再生するために検出される。
【００７５】
受信シンボルは、端末に割り当てられたトラフィック・チャネルのための時間−周波数ブロックから抽出される（ブロック１２２２）。シグナリング・チャネルのための時間−周波数セグメントから抽出された受信シンボルは、パンクチャされる（ブロック１２２４）。パンクチャされない受信シンボルは、端末に対するデコードされたデータを得るために処理される（ブロック１２２６）。
【００７６】
図１３は、シグナリングとトラフィック・データを受け取るための装置１３００の１つの実施形態を示す。装置１３００は、シグナリング・チャネルのための時間−周波数セグメントを決定するための手段（ブロック１３１２）、シグナリング・チャネルのための時間−周波数セグメントから受信シンボルを抽出するための手段（ブロック１３１４）、逆拡散されたシンボルを得るために端末に割り当てられた拡散コードを用いて抽出した受信シンボルを逆拡散するための手段（ブロック１３１６）、干渉推定値を得るためにシグナリングに対して使用されなかった（複数の）拡散コードを用いて抽出した受信シンボルを逆拡散するための手段（ブロック１３１８）、及び端末により送られたシグナリングを再生するために（例えば、もし利用可能であれば、干渉推定値を用いて）逆拡散されたシンボルに検出を実行するための手段（ブロック１３２０）を含む。シグナリング・メッセージは、同様に、複数の時間−周波数セグメント中の異なるクラスタから再生されることができる。装置１３００は、さらに、端末に割り当てられたトラフィック・チャネルのための時間−周波数ブロックから受信シンボルを抽出するための手段（ブロック１３２２）、シグナリング・チャネルのための時間−周波数セグメントから抽出された受信シンボルをパンクチャするための手段（ブロック１３２４）、及び端末に対するデコードされたデータを得るためにパンクチャされない受信シンボルを処理するための手段（ブロック１３２６）を含む。
【００７７】
図１４は、図１の基地局１１０と端末１２０の１つの実施形態のブロック図を示す。この実施形態に関して、基地局１１０と端末１２０は、それぞれ１つのアンテナを装備する。
【００７８】
基地局１１０において、送信（ＴＸ）データ及びシグナリング・プロセッサ１４１０は、１又はそれより多くの端末に対するトラフィック・データを受け取り、その端末に対して選択された１又はそれより多くのコーディング方式及び変調方式に基づいて各端末に対するトラフィック・データを処理し（例えば、フォ−マット化し、エンコードし、インターリーブし、そしてシンボル・マッピングし）、そしてデータ・シンボルを供給する。プロセッサ１４１０は、同様に、パイロット・シンボル及びシグナリング・シンボルを生成する。ＯＦＤＭ変調器１４１２は、データ・シンボル、パイロット・シンボル、及びシグナリング・シンボルにＯＦＤＭ変調を実行し、そしてＯＦＤＭシンボルを供給する。もしシステム１００がＳＣ−ＦＤＭＡを利用する場合には、変調器１４１２は、ＳＣ−ＦＤＭＡ変調を実行し、そしてＳＣ−ＦＤＭＡシンボルを供給する。送信機（ＴＭＴＲ）１４１４は、ＯＦＤＭシンボルを調整して（例えば、アナログに変換し、フィルタし、増幅し、そしてアップコンバートして）ＦＬ変調信号を生成する、それはアンテナ１４１６から送信される。
【００７９】
端末１２０では、アンテナ１４５２は、基地局１１０そしておそらく他の基地局からのＦＬ変調信号を受信し、そして受信した信号を受信機（ＲＣＶＲ）１４５４に供給する。受信機１４５４は、受信信号を処理し（例えば、調整しそしてディジタル化し）そして受信サンプルを供給する。ＯＦＤＭ復調器（Ｄｅｍｏｄ）１４５６は、受信サンプルにＯＦＤＭ復調を実行し、そしてＫ個の全サブキャリアに対する受信シンボルを供給する。受信（ＲＸ）データ及びシグナリング・プロセッサ１４５８は、受信シンボルを処理し（例えば、シンボル逆マッピングし、逆インターリーブし、そしてデコードし）、そして端末１２０に対するデコードされたデータ及びシグナリングを供給する。
【００８０】
コントローラ／プロセッサ１４７０は、プロセッサ１４５８からデコーディングの結果を受け取り、そして端末１２０に対するＡＣＫメッセージを生成する。ＴＸデータ及びシグナリング・プロセッサ１４６０は、ＡＣＫメッセージのためのシグナリング・シンボル、基地局１１０に送られるべきトラフィック・データのためのデータ・シンボル、及びパイロット・シンボルを生成する。ＯＦＤＭ変調器１４６２は、データ・シンボル、パイロット・シンボル、及びシグナリング・シンボルにＯＦＤＭ変調を実行し、そしてＯＦＤＭシンボルを供給する。送信機１４６４は、ＯＦＤＭシンボルを調整し、そしてＲＬ変調信号を生成する、それはアンテナ１４５２から送信される。
【００８１】
基地局１１０では、端末１２０そして他の端末からのＲＬ変調信号は、アンテナ１４１６により受信され、受信機１４２０により調整されそしてディジタル化され、ＯＦＤＭ復調器１４２２により復調され、そしてＲＸデータ及びシグナリング・プロセッサにより処理されて、端末１２０及び他の端末により送られたＡＣＫメッセージ及びトラフィック・データを再生する。コントローラ／プロセッサ１４３０は、検出されたＡＣＫメッセージを受け取り、そして端末への順方向リンク上のデータ送信を制御する。
【００８２】
コントローラ／プロセッサ１４３０と１４７０は、それぞれ基地局１１０と端末１２０における様々な処理ユニットの動作を管理する。メモリ１４３２と１４７２は、それぞれ基地局１１０と端末１２０に対するプログラム・コード及びデータを記憶する。
【００８３】
図１５は、端末１２０におけるＴＸデータ及びシグナリング・プロセッサ１４６０の１つの実施形態のブロック図を示す。プロセッサ１４６０は、ＴＸデータ・プロセッサ１５１０、ＴＸシグナリング・プロセッサ１５２０、及びマルチプレクサ（ＭＵＸ）／コンバイナ１５３０を含む。
【００８４】
ＴＸデータ・プロセッサ１５１０内では、ユニット１５１２は、トラフィック・データをエンコードし、インターリーブし、そしてシンボル・マッピングし、そしてデータ・シンボルを供給する。シンボル−サブキャリア・マッパ１５１４は、端末１２０に割り当てられたトラフィック・チャネルのための時間−周波数ブロックにデータ・シンボルをマッピングする。パンクチャラ１５１６は、ＡＣＫチャネルのための時間−周波数セグメントにマッピングされたデータ・シンボルをパンクチャし、そしてパンクチャされていないデータ・シンボルを供給する。
【００８５】
ＴＸシグナリング・プロセッサ１５２０内では、データ・スプレッダ１５２２は、端末１２０に割り当てられた拡散コードを用いてＡＣＫメッセージを拡散し、そしてＡＣＫチップを供給する。図１５に示された実施形態に関して、拡散することは、周波数ドメインにおいて実行され、そしてデータ・スプレッダ１５２２は、シグナリング・シンボルとしてＡＣＫチップを供給する。図１５に示されていない別の実施形態では、拡散することは、時間ドメインにおいて実行され、そしてＤＦＴユニットは、各シンボル期間のあいだにＡＣＫチップを周波数ドメインに変換し、そしてシグナリング・シンボルを供給する。両方の実施形態に関して、シンボル−サブキャリア・マッパ１５２４は、ＡＣＫチャネルのための時間−周波数セグメント中の適切なクラスタにシグナリング・シンボルをマッピングする。ユニット１５３０は、プロセッサ１５１０からのデータ・シンボルとプロセッサ１５２０からのシグナリング・シンボルとを統合し、そしてマッピングされたデータ・シンボル及びシグナリング・シンボルを供給する。
【００８６】
図１６は、基地局１１０におけるＲＸデータ及びシグナリング・プロセッサ１４２４の１つの実施形態のブロック図を示す。プロセッサ１４２４は、ＲＸデータ・プロセッサ１６１０とＲＸシグナリング・プロセッサ１６２０とを含む。明確にするために、１つの端末ｕ（例えば、図１４と図１５の端末１２０）からのトラフィック・データとシグナリングを再生する処理が、以下に説明される。
【００８７】
ＲＸデータ・プロセッサ１６１０内では、シンボル−サブキャリア逆マッパ１６１２は、端末１２０に割り当てられたトラフィック・チャネルのための時間−周波数ブロックから受信シンボルを抽出する。パンクチャラ１６１４は、ＡＣＫチャネルのための時間−周波数セグメントから抽出された受信シンボルをパンクチャし、そしてパンクチャされていない受信シンボルを供給する。ユニット１６１６は、パンクチャされていない受信シンボルをシンボル逆マッピングし、逆インターリーブし、そしてデコードし、そして端末１２０に対してデコードされたデータを供給する。
【００８８】
ＲＸシグナリング・プロセッサ１６２０内では、シンボル−サブキャリア逆マッパ１６２２は、ＡＣＫチャネルのための時間−周波数セグメントから受信シンボルを抽出する。もし拡散が周波数ドメインにおいて実行される場合には、ＩＤＦＴユニットは、各シンボル期間のあいだに受信シンボルを時間ドメインに変換し、そして逆拡散するために（図１６に示されない）時間ドメイン・サンプルを供給する。もし拡散が周波数ドメインにおいて実行される場合に、それは図１６に示されそして下記の説明に対して想定される、その時には、逆マッパ１６２２は、逆拡散のために受信シンボルを供給する。データ逆スプレッダ１６２４は、各クラスタからの受信シンボルを端末１２０に割り当てられた拡散コードを用いて逆拡散し、次の通りである：
【数３】
2009514449.tif 000005
【００８９】
ここで、ｒｃ，ｉはクラスタｃからのｉ番目の受信シンボルであり、そして
ｚｕ，ｃは端末ｕに対するクラスタｃからの逆拡散されたシンボルである。
【００９０】
干渉推定器１６２６は、各クラスタからの受信シンボルをそれぞれの予備の拡散コードを用いて次のように逆拡散する：
【数４】
2009514449.tif 000006
【００９１】
ここで、ｚｊ，ｃは予備の拡散コードに対する逆拡散されたシンボルであり、そして
ＲＣは全ての予備の拡散コードの集合である。
【００９２】
干渉推定器１６２６は、次に、予備の拡散コードに対して逆拡散されたシンボルの二乗された強度を合計することにより各クラスタに対する干渉推定値を導出し、次の通りである：
【数５】
2009514449.tif 000007
【００９３】
ここで、Ｉ０，ｃはクラスタｃに対する干渉推定値である。
【００９４】
検出器１６２８は、全クラスタに対する逆拡散されたシンボルと干渉推定値とに基づいて端末１２０によって送られたＡＣＫメッセージの検出を実行し、次の通りである：
【数６】
2009514449.tif 000008
【００９５】
ここで、ＡｔｈはＡＣＫビットを検出ために使用するしきい値であり、そしてＡＣＫｕは端末１２０に対する検出されたＡＣＫメッセージである。式（７）は、各クラスタについてＡＣＫビットに対する逆拡散されたシンボルのエネルギーを計算し、そのクラスタに対する干渉推定値に基づいて各クラスタのシンボル・エネルギーをスケーリングし、そしてＡＣＫビットを送るために使用した全てのクラスタに対する重み付けした結果を統合する。
【００９６】
ＡＣＫ検出は、同様に他の方法でも実行されることができる。別の実施形態では、基地局１１０は、干渉消去を用いてＡＣＫ検出を実行する。例えば、基地局１１０は、最も強い受信端末に対するＡＣＫビットを検出することができ、この端末による干渉を推定することができ、受信シンボルから推定した干渉を差し引くことができ、そして干渉−消去された受信シンボルに基づいて次に強い受信端末に対するＡＣＫビットを検出することができる。さらに別の実施形態では、基地局１１０は、コヒーレントなＡＣＫ検出を実行する。この実施形態に関して、基地局１１０は、各端末に対するチャネル推定値をその端末により送られたパイロットに基づいて導出し、そしてそのチャネル推定値を用いてＡＣＫ検出を実行する。
【００９７】
本明細書で説明したシグナリング送信技術は、様々な手段により実装されることができる。例えば、これらの技術は、ハードウェア、ファームウェア、ソフトウェア、又はこれらの組み合わせで実装されることができる。ハードウェア実装に関して、端末における処理ユニットは、１又はそれより多くの用途特定集積回路（ＡＳＩＣｓ：application specific integrated circuits）、ディジタル信号プロセッサ（ＤＳＰｓ：digital signal processors）、ディジタル信号処理デバイス（ＤＳＰＤｓ：digital signal processing devices）、プログラマブル論理デバイス（ＰＬＤｓ：programmable logic devices）、フィールド・プログラマブル・ゲートアレイ（ＦＰＧＡｓ：field programmable gate arrays）、プロセッサ、コントローラ、マイクロ−コントローラ、マイクロプロセッサ、電子デバイス、本明細書中に説明した機能を実行するために設計された他の電子ユニット、若しくはこれらの組み合わせの中に与えられることができる。基地局における処理ユニットも、１又はそれより多くのＡＳＩＣ、ＤＳＰ、プロセッサ、及びその他を用いて同様に実装されることができる。
【００９８】
ファームウェア及び／又はソフトウェア実装に関して、本技術は、本明細書中に説明された機能を実行するモジュール（例えば、手順、機能、及びその他）を用いて実装されることができる。ソフトウェア・コードは、メモリ・ユニット（例えば、図１４のメモリ１４３２又は１４７２）中に記憶されることができ、そしてプロセッサ（例えば、プロセッサ１４３０又は１４７０）によって実行されることができる。メモリは、プロセッサの内部に、又はプロセッサの外部に与えられることができる。
【００９９】
本明細書のチャネルの概念がアクセス・ポイント又はアクセス端末により送信されることができる情報又は送信のタイプを呼ぶことは、注意されるべきである。それは、サブキャリアの一定のブロック又は事前に決められたブロック、時間の期間、又はそのような送信のために専用の別のリソースを、必要としない又は利用しない。
【０１００】
さらに、時間−周波数セグメントは、シグナリング及びデータに対して割り当てられることができる具体例のリソースである。時間−周波数セグメントは、時間−周波数セグメントに加えて、周波数サブキャリア、送信シンボル、又はその他のリソースを同様に含むことができる。
【０１０１】
開示された複数の実施形態のこれまでの説明は、本技術分野に知識のあるいかなる者でも、本発明を作成する又は使用することを可能にするために提供される。これらの実施形態に対する種々の変形は、当業者に容易に明らかになるであろう。そして、本明細書中に規定された一般的な原理は、発明の精神又は範囲から逸脱することなく、他の実施形態に適用されることができる。それゆえ、本発明は、本明細書中に示された複数の実施形態に限定されるように意図されたものではなく、本明細書中に開示された原理及び新規な機能と整合する最も広い範囲に適用されるべきである。
【図面の簡単な説明】
【０１０２】
【図１】無線通信システムを示す図である。
【図２】順方向リンク上のＨ−ＡＲＱ送信を説明する図である。
【図３Ａ】サブキャリア構造を示す図である。
【図３Ｂ】別のサブキャリア構造を示す図である。
【図４】周波数ホッピング方式を示す図である。
【図５Ａ】ＡＣＫチャネルに対するシグナリング送信方式を示す図である。
【図５Ｂ】ＡＣＫチャネルに対する別のシグナリング送信方式を示す図である。
【図６】ＡＣＫチャネルのための時間−周波数ブロックのパンクチャリングを示す図である。
【図７Ａ】複数のクラスタを有するＡＣＫセグメントを示す図である。
【図７Ｂ】ＡＣＫセグメントによりパンクチャされない時間−周波数ブロックを示す図である。
【図７Ｃ】ＡＣＫセグメントによりパンクチャされる時間−周波数ブロックを示す図である。
【図８】ダイバーシティを実現するためのＡＣＫメッセージの送信を示す図である。
【図９】バイナリ・チャネル・ツリーを示す図である。
【図１０】シグナリングとトラフィック・データを送るためのプロセスを示す図である。
【図１１】シグナリングとトラフィック・データを送るための装置を示す図である。
【図１２】シグナリングとトラフィック・データを受け取るためのプロセスを示す図である。
【図１３】シグナリングとトラフィック・データを受け取るための装置を示す図である。
【図１４】基地局と端末のブロック図を示す。
【図１５】送信データ及びシグナリング・プロセッサのブロック図を示す。
【図１６】受信データ及びシグナリング・プロセッサのブロック図を示す。
【図１】
2009514449.tif 000009
【図２】
2009514449.tif 000010
【図３Ａ】
2009514449.tif 000011
【図３Ｂ】
2009514449.tif 000012
【図４】
2009514449.tif 000013
【図５Ａ】
2009514449.tif 000014
【図５Ｂ】
2009514449.tif 000015
【図６】
2009514449.tif 000016
【図７Ａ】
2009514449.tif 000017
【図７Ｂ】
2009514449.tif 000018
【図７Ｃ】
2009514449.tif 000019
【図８】
2009514449.tif 000020
【図９】
2009514449.tif 000021
【図１０】
2009514449.tif 000022
【図１１】
2009514449.tif 000023
【図１２】
2009514449.tif 000024
【図１３】
2009514449.tif 000025
【図１４】
2009514449.tif 000026
【図１５】
2009514449.tif 000027
【図１６】
2009514449.tif 000028
【国際調査報告】
2009514449.tif 000029
2009514449.tif 000030
2009514449.tif 000031